(57)【要約】  本発明の実施形態に係るレンズ駆動装置（１０１）は、レンズ体を保持可能なレンズ保持部材（２）と、レンズ保持部材（２）を光軸（ＪＤ）の方向に移動可能に支持する下側板ばね（２６）と、レンズ保持部材（２）に保持されるコイル（３）と、コイル（３）に対向する磁石（５）と、を備えている。下側板ばね（２６）は、ベース部材（１８）に固定される外側部分（２６ｅ）と、レンズ保持部材（２）に固定される内側部分（２６ｉ）とを備えている。コイル（３）は、レンズ保持部材（２）に保持される巻回部（１３）と、巻回部（１３）に繋がる延在部（３３）とを有する。延在部（３３）は、下側板ばね（２６）に電気的に接続されている。レンズ保持部材（２）は、延在部（３３）が巻き付けられる突出部（７２）を有する。突出部（７２）は、光軸（ＪＤ）に対して斜め外方へ突出している。
2019181352.tif 000002
【特許請求の範囲】
【請求項１】
固定側部材と、
レンズ体を保持可能なレンズ保持部材と、
前記レンズ保持部材を光軸の方向に移動可能に支持する板ばねと、
前記レンズ保持部材に保持されるコイルと、
前記コイルに対向する磁石と、を備えるレンズ駆動装置であって、
前記板ばねは、
前記固定側部材に固定される固定側支持部と、
前記レンズ保持部材に固定される可動側支持部と、を備え、
前記コイルは、
前記レンズ保持部材に保持される巻回部と、
前記巻回部に繋がる延在部と、を有し、
前記延在部は、前記板ばねに電気的に接続されており、
前記レンズ保持部材は、前記延在部が巻き付けられる突出部を有し、
前記突出部は、前記光軸に対して斜め外方へ突出している、
レンズ駆動装置。
【請求項２】
前記突出部の先端部分には、張り出し部が形成されており、
前記延在部は、前記張り出し部よりも前記突出部の根元部分側に巻き付けられている、
請求項１に記載のレンズ駆動装置。
【請求項３】
前記突出部の先端部分には、第１張り出し部と第２張り出し部が形成されており、
前記第１張り出し部は、前記第２張り出し部の張り出し方向に垂直に張り出している、
請求項１又は２に記載のレンズ駆動装置。
【請求項４】
前記レンズ保持部材は、前記光軸の方向における前記巻回部の移動を規制する規制部を有し、
前記突出部は、前記規制部の一部を構成している、
請求項１乃至３の何れかに記載のレンズ駆動装置。
【請求項５】
前記突出部は、前記光軸に垂直な平面に対して３０度以上６０度以下の角度で突出している、
請求項１乃至４の何れかに記載のレンズ駆動装置。
【請求項６】
前記突出部は、前記コイルの一端が巻き付けられる第１突出部と、前記コイルの他端が巻き付けられる第２突出部とを含み、
前記第１突出部及び前記第２突出部は、前記光軸を挟んで対向する位置に配置され、且つ、互いに離れる方向に突出するように構成されている、
請求項１乃至５の何れかに記載のレンズ駆動装置。
【請求項７】
前記固定側部材は、一対の側板部を有する矩形箱状のケースを含み、
前記第１突出部は、一対の前記側板部の一方に対向するように配置され、
前記第２突出部は、一対の前記側板部の他方に対向するように配置され、且つ、
前記磁石は、前記ケースの隅部に対向するように配置されている、
請求項６に記載のレンズ駆動装置。
【請求項８】
前記レンズ保持部材は、前記突出部の周囲に所定の空きスペースが形成されるように、構成されている、
請求項１乃至７の何れかに記載のレンズ駆動装置。
【請求項９】
請求項１乃至８の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、例えばカメラ付き携帯機器に搭載されるレンズ駆動装置、及び、レンズ駆動装置を含むカメラモジュールに関する。
【背景技術】
【０００２】
従来、レンズ体を保持可能なレンズ保持部材と、レンズ保持部材の外周に配置されるコイルと、レンズ保持部材を光軸の方向に移動可能に支持する上側板ばね及び下側板ばねとを含むレンズ駆動装置が知られている（特許文献１参照。）。レンズ保持部材は、コイルを構成する線材の端部が巻き付けられる突出部を備えている。
【先行技術文献】
【特許文献】
【０００３】
【特許文献１】特開２０１５−０９９３２２号公報
【発明の概要】
【発明が解決しようとする課題】
【０００４】
しかしながら、上述の突出部は、レンズ保持部材から光軸の方向に沿って撮像素子側に突出するように構成されている。そのため、レンズ保持部材の小型化の妨げとなっている。【０００５】
そこで、更なる小型化を実現可能なレンズ駆動装置を提供することが望ましい。
【課題を解決するための手段】
【０００６】
本発明の実施形態に係るレンズ駆動装置は、固定側部材と、レンズ体を保持可能なレンズ保持部材と、前記レンズ保持部材を光軸の方向に移動可能に支持する板ばねと、前記レンズ保持部材に保持されるコイルと、前記コイルに対向する磁石と、を備えるレンズ駆動装置であって、前記板ばねは、前記固定側部材に固定される固定側支持部と、前記レンズ保持部材に固定される可動側支持部と、を備え、前記コイルは、前記レンズ保持部材に保持される巻回部と、前記巻回部に繋がる延在部と、を有し、前記延在部は、前記板ばねに電気的に接続されおり、前記レンズ保持部材は、前記延在部が巻き付けられる突出部を有し、前記突出部は、前記光軸に対して斜め外方へ突出している。
【発明の効果】
【０００７】
上述の手段により、更なる小型化を実現可能なレンズ駆動装置が提供される。
【図面の簡単な説明】
【０００８】
【図１】レンズ駆動装置の分解斜視図である。
【図２Ａ】レンズ駆動装置の上方斜視図である。
【図２Ｂ】レンズ駆動装置の正面図である。
【図３Ａ】レンズ駆動装置の上面図である。
【図３Ｂ】レンズ駆動装置の底面図である。
【図４Ａ】ケースが省略された状態にあるレンズ駆動装置の上方斜視図である。
【図４Ｂ】ケースが省略された状態にあるレンズ駆動装置の右側面図である。
【図５Ａ】レンズ保持部材の上方斜視図である。
【図５Ｂ】コイルが巻き付けられたレンズ保持部材の上方斜視図である。
【図６Ａ】レンズ保持部材の下方斜視図である。
【図６Ｂ】コイルが巻き付けられたレンズ保持部材の下方斜視図である。
【図７Ａ】レンズ保持部材の上面図である。
【図７Ｂ】レンズ保持部材の右側面図である。
【図８Ａ】レンズ保持部材の下方斜視図である。
【図８Ｂ】コイルが巻き付けられたレンズ保持部材の下方斜視図である。
【図９Ａ】レンズ保持部材の一部の拡大図である。
【図９Ｂ】レンズ保持部材の別の一部の拡大図である。
【図１０Ａ】一部の部材が省略された状態にあるレンズ駆動装置の底面図である。
【図１０Ｂ】一部の部材が省略された状態にあるレンズ駆動装置の底面図である。
【図１１Ａ】上側板ばねの上面図である。
【図１１Ｂ】下側板ばねの底面図である。
【図１２Ａ】レンズ駆動装置における板ばねとコイルとの接続の一例を説明する図である。
【図１２Ｂ】レンズ駆動装置における板ばねとコイルとの接続の一例を説明する図である。
【図１３Ａ】レンズ駆動装置のベース部材の上方斜視図である。
【図１３Ｂ】下側板ばねが組み付けられたベース部材の上方斜視図である。
【図１３Ｃ】ベース部材に埋め込まれている金属部材の上方斜視図である。
【図１４Ａ】レンズ保持部材に形成された突出部の左側面図である。
【図１４Ｂ】レンズ保持部材に形成された突出部の左側面図である。
【図１５Ａ】レンズ保持部材に形成された突出部の上方斜視図である。
【図１５Ｂ】レンズ保持部材に形成された突出部の上方斜視図である。
【図１６Ａ】突出部の一例の左側面図である。
【図１６Ｂ】突出部の別の一例の左側面図である。
【図１６Ｃ】突出部の更に別一例の左側面図である。
【図１７】上側板ばねの上面図である。
【図１８】下側板ばねの底面図である。
【発明を実施するための形態】
【０００９】
以下、本発明の実施形態に係るレンズ駆動装置１０１について図面を参照して説明する。図１は、レンズ駆動装置１０１の分解斜視図である。図２Ａは、レンズ駆動装置１０１の上方斜視図であり、図２Ｂは、Ｙ２側から見たレンズ駆動装置１０１の正面図である。図３Ａは、レンズ駆動装置１０１の上面図であり、図３Ｂは、レンズ駆動装置１０１の底面図である。図４Ａは、ケース４を省略した状態のレンズ駆動装置１０１の上方斜視図であり、図２Ａに対応する。図４Ｂは、Ｘ１側から見た、ケース４を省略した状態のレンズ駆動装置１０１の右側面図である。
【００１０】
レンズ駆動装置１０１は、図１に示すように、レンズ体（図示せず。）を保持可能なレンズ保持部材２と、レンズ保持部材２をレンズ体に関する光軸ＪＤの方向（Ｚ軸方向）に沿って移動させる駆動機構ＭＫと、レンズ保持部材２を光軸ＪＤの方向に移動可能に支持する板ばね６と、板ばね６が固定される固定側部材ＲＧとを含む。レンズ体は、例えば、少なくとも１枚のレンズを備えた筒状のレンズバレルであり、その中心軸線が光軸ＪＤの方向に沿うように構成されている。
【００１１】
駆動機構ＭＫは、図１に示すように、八角環状に巻かれたコイル３と、コイル３と対向して配置された４つの磁石５とを含む。固定側部材ＲＧは、ケース４と、金属部材７が埋め込まれたベース部材１８とを含む。金属部材７は、外部との電気的な接続をもたらす端子７Ａ及び端子７Ｂを含む。板ばね６は、レンズ保持部材２とケース４との間に配置される上側板ばね１６と、レンズ保持部材２とベース部材１８との間に配置される下側板ばね２６とを含む。下側板ばね２６は、下側板ばね２６Ａ及び下側板ばね２６Ｂを含む。ケース４は、略矩形筒状の外壁部４Ａと、外壁部４Ａの上端（Ｚ１側の端）と連続するように設けられた平板環状の上面部４Ｂとを有する。外壁部４Ａは、互いに対向する一対の第１側板部４Ａ１と、第１側板部４Ａ１に垂直で且つ互いに対向する一対の第２側板部４Ａ２とを有する。
【００１２】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体と、レンズ体に対向するように基板に実装された撮像素子とはカメラモジュールを構成する。コイル３は、下側板ばね２６Ａ、下側板ばね２６Ｂ、端子７Ａ、端子７Ｂ及び基板を介して電源に接続される。そのため、下側板ばね２６Ａ及び下側板ばね２６Ｂは、金属等の導電性部材で形成されている。コイル３に電流が流れると、駆動機構ＭＫは、光軸ＪＤの方向に沿った電磁力を発生させる。
【００１３】
レンズ駆動装置１０１は、この電磁力を利用し、撮像素子のＺ１側（被写体側）で、光軸ＪＤの方向に沿ってレンズ保持部材２を移動させる。レンズ駆動装置１０１は、撮像素子から離れる方向にレンズ保持部材２を移動させてマクロ撮影を可能にし、且つ、撮像素子に近づく方向にレンズ保持部材２を移動させて無限遠撮影を可能にしている。
【００１４】
次に、レンズ保持部材２と駆動機構ＭＫについて説明する。図５Ａは、レンズ保持部材２の上方斜視図であり、図５Ｂは、図５Ａのレンズ保持部材２にコイル３が巻かれた状態を示すレンズ保持部材２の上方斜視図である。図６Ａは、レンズ保持部材２の下方斜視図であり、図６Ｂは、図６Ａのレンズ保持部材２にコイル３が巻かれた状態を示すレンズ保持部材２の下方斜視図である。図７Ａは、レンズ保持部材２の上面図であり、図７Ｂは、Ｘ１側から見たレンズ保持部材２の右側面図である。図８Ａは、レンズ保持部材２の下方斜視図であり、図８Ｂは、図８Ａに示すレンズ保持部材２にコイル３が巻かれた状態を示すレンズ保持部材２の下方斜視図である。図９Ａは、図８Ｂに示す部分Ｓの拡大図であり、図９Ｂは、図６Ｂに示す部分Ｐの拡大図である。図１０Ａは、金属部材７及びベース部材１８が省略された状態のレンズ駆動装置１０１の底面図であり、図１０Ｂは、更に下側板ばね２６及びレンズ保持部材２が省略された状態のレンズ駆動装置１０１の底面図である。
【００１５】
本実施形態では、レンズ保持部材２は、液晶ポリマー（ＬＣＰ）等の合成樹脂を射出成形することで作製されている。具体的には、レンズ保持部材２は、図５Ａに示すように、光軸ＪＤの方向に沿って貫通孔が形成された筒状部１２と、光軸ＪＤの方向における撮像素子側（Ｚ２側）の部分に形成されたフランジ部（鍔部）５２とを含む。本実施形態では、筒状部１２は、光軸ＪＤの方向における被写体側（Ｚ１側）の部分が円筒状に形成されている。
【００１６】
筒状部１２には、レンズ体が装着されるように、円筒状の内周面にねじ溝が設けられていてもよい。但し、本実施形態では、レンズ体は、接着剤によって筒状部１２に固定される構成としている。そのため、筒状部１２には、ねじ溝が形成されていない。また、筒状部１２には、図５Ａに示すように、被写体側の端面に２つの窪み１２ｄｈを有した台座部１２ｄが設けられている。台座部１２ｄには、図４Ａに示すように、上側板ばね１６の内側部分１６ｉが載置される。
【００１７】
筒状部１２の外周面には、図５Ａに示すように、コイル３を内側から支持する外壁部としてのコイル支持部１２ｊが設けられている。本実施形態では、コイル支持部１２ｊは、八角環状のコイル３を支持できるよう、全体として上面視で八角形状の外形を有する。但し、筒状部１２の外周面にはコイル支持部１２ｊが形成されていない部分も存在する。コイル支持部１２ｊの被写体側には、光軸ＪＤの方向においてフランジ部５２と対向するように径方向外側に突出した庇部１２ｈ（図７Ａ及び図７Ｂ参照。）が形成されている。そして、図５Ｂに示すように、コイル３は、コイル支持部１２ｊに支持され且つ光軸ＪＤの方向において庇部１２ｈとフランジ部５２との間に挟まれるようにしてレンズ保持部材２の外周面側に八角環状に巻かれている。この構成において、庇部１２ｈ及びフランジ部５２は、光軸ＪＤの方向におけるコイル３（巻回部１３）の移動を規制する規制部として機能する。
【００１８】
フランジ部５２は、筒状部１２の撮像素子側（Ｚ２側）の部分における外周面から径方向外側に突出している。フランジ部５２の被写体側にはコイル３（巻回部１３）が配置されている。
【００１９】
フランジ部５２は、図６Ａの矢印ＡＲ１で示すように、撮像素子側（Ｚ２側）の面から斜め外方に突出した、角形凸状の２つの突出部７２と、撮像素子側（Ｚ２側）の面から下方（Ｚ２方向）に突出した、丸形凸状の４つの突設部２ｔとを含む。
【００２０】
突出部７２は、図６Ｂに示すように、コイル３（巻回部１３）の巻き始め側の線材に対応する突出部７２Ａと、コイル３（巻回部１３）の巻き終わり側の線材に対応する突出部７２Ｂとを含む。コイル３を構成する線材の両端は、突出部７２に巻き付けられて保持されている。線材の巻き付けは、例えば、自動巻線機を用いて行われる。
【００２１】
突出部７２は、望ましくは、図６Ａに示すように、線材が巻き付けられる部分が四角柱状となるように構成されている。この場合、４つの側辺のそれぞれに対応する縁のうち、線材が最初に接触する側面と２番目に接触する側面との間にある縁は望ましくは湾曲している。湾曲した縁は、コイル３の線材が突出部７２に巻き付けられる際に、その縁と接触する線材の表面に過度の力が掛かってしまうのを防止できる。なお、他の３つの縁は、エッジが立つよう（湾曲しないよう）に構成されていてもよい。また、突出部７２は、線材が巻き付けられる部分が円柱状又は楕円柱状となるように構成されていてもよく、三角柱状、五角柱状又は六角柱状等の多角柱状となるように構成されていてもよい。
【００２２】
突設部２ｔは、図６Ａ及び図１０Ａに示すように、下側板ばね２６Ａに対応する２つの突設部２ｔと、下側板ばね２６Ｂに対応する２つ突設部２ｔとを含む。突設部２ｔには、下側板ばね２６Ａ及び下側板ばね２６Ｂのそれぞれの内側部分２６ｉが装着されて固定されている。下側板ばね２６Ａ及び下側板ばね２６Ｂのそれぞれの内側部分２６ｉの固定は、内側部分２６ｉに形成された貫通孔（図１１Ｂ参照。）に挿通された突設部２ｔに熱かしめ又は冷間かしめを施すことによって実現される。図面では、突設部２ｔは、熱かしめ又は冷間かしめが施された後の先端が変形した状態で表されている。
【００２３】
次に、レンズ駆動装置１０１の駆動機構ＭＫについて説明する。駆動機構ＭＫは、図１０Ｂに示すように、コイル３と、ケース４の四隅にある隅部のそれぞれと対向するように配置された４つの磁石５とを含む。そして、駆動機構ＭＫは、コイル３に流れる電流と磁石５が発生する磁界とで駆動力（推力）を発生させ、レンズ保持部材２を光軸ＪＤの方向に沿って上下に移動させることができる。
【００２４】
コイル３は、図６Ｂに示すように、レンズ保持部材２の外周に導電性の線材を巻回して形成されている。コイル３は、八角環状に巻かれて形成された巻回部１３と、巻回部１３から延びて突出部７２に巻き付けられる延在部３３とを含む。図６Ｂは、明瞭化のため、巻回部１３に関しては、絶縁部材で表面を被覆された導電性の線材の詳細な巻回状態の図示を省略している。巻回部１３を図示する他の図についても同様である。
【００２５】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００２６】
具体的には、延在部３３Ａは、図９Ａに示すように、突出部７２Ａに巻き付けられる巻き付け部３３ｍと、巻回部１３と巻き付け部３３ｍとの間にある接続部３３ｃとを含む。延在部３３Ｂは、図９Ｂに示すように、突出部７２Ｂに巻き付けられる巻き付け部３３ｍと、巻回部１３と巻き付け部３３ｍとの間にある接続部３３ｃとを含む。
【００２７】
本実施形態では、延在部３３Ａは、コイル３の線材がレンズ保持部材２の外周に巻き付けられる前に、レンズ保持部材２の突出部７２Ａに巻き付けられる。図９Ａに示す例では、コイル３の線材の一部が突出部７２Ａに３ターン巻き付けられている。これにより、巻き付け部３３ｍが突出部７２Ａに形成され、延在部３３Ａの一部が突出部７２Ａに保持される。但し、延在部３３Ａは、コイル３の線材がレンズ保持部材２の外周に巻き付けられた後で、突出部７２Ａに巻き付けられてもよい。
【００２８】
次に、レンズ保持部材２の外周に線材が巻き付けられる。その際には、図９Ａに示すように、接続部３３ｃは、フランジ部５２の下側から上側に延び、巻回部１３の巻き始め部分に繋がり、巻回部１３の内周側を構成する。
【００２９】
レンズ保持部材２の外周に巻回されたコイル３の巻回部１３は、図５Ｂに示すように、レンズ保持部材２の周囲を囲む位置に配置されている。また、巻回部１３は、コイル支持部１２ｊ（図５Ａ参照。）により内側から支持された状態で、庇部１２ｈとフランジ部５２に挟まれるようにして、フランジ部５２の被写体側に保持されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸ＪＤは、レンズ保持部材２及びコイル３のそれぞれの中心軸と容易に一致するように構成されている。コイル３の巻回部１３は、接着剤でコイル支持部１２ｊに固定されていてもよい。
【００３０】
レンズ保持部材２の外周への線材の巻き付けが終了すると、巻回部１３の巻き終わり側の端部に繋がる延在部３３Ｂは、図９Ｂに示すように、フランジ部５２の被写体側から撮像素子側に引き出される。具体的には、接続部３３ｃが巻回部１３の下側端面と対向して延び、巻き付け部３３ｍがレンズ保持部材２の突出部７２Ｂに巻き付けられる。図９Ｂに示す例では、延在部３３Ｂは、突出部７２Ｂに３ターン巻き付けられている。
【００３１】
次に、ケース４について説明する。本実施形態では、ケース４は、オーステナイト系ステンレス鋼等の非磁性金属で形成された板材に抜き加工及び絞り加工を施して作製されている。非磁性金属で形成されているため、ケース４は、デュアルカメラ型の携帯機器等においてレンズ駆動装置１０１に隣接して別のレンズ駆動装置が配置される場合であっても、その別のレンズ駆動装置に含まれる駆動機構に磁気的な悪影響を及ぼすことはない。具体的には、ケース４は、図１に示すように、収納部４ｓを定める箱状の外形を有する。そして、ケース４は、矩形環状の外壁部４Ａと、外壁部４Ａの上端（Ｚ１側の端）と連続するように設けられた平板状の上面部４Ｂとを有する。上面部４Ｂには、磁石５と対向する部分に複数（本実施形態では４つ）の受け部４Ｒが形成されている。受け部４Ｒは、その上面（Ｚ１側の面）が窪むように、すなわち、その下面（Ｚ２側の面）が磁石５側（Ｚ２側）に突出するように形成されている。また、上面部４Ｂには、図２Ａに示すように、円形状の開口４ｋが形成されている。このように構成されたケース４は、図１０Ｂに示すように、コイル３及び磁石５を収納部４ｓに収容し、且つ、図２Ａに示すように、ベース部材１８に結合されてベース部材１８と共に筐体を構成する。但し、ケース４は、鉄等の磁性金属で形成されたカバーで置き換えられてもよい。この場合、ケース４はヨークとして機能する。
【００３２】
次に、駆動機構ＭＫを構成する磁石５について説明する。磁石５は、図１に示すように角柱形状を有し、ケース４内に収容されるように配置されている。具体的には、４つの磁石５は、図１０Ｂに示すように、コイル３の外側に位置すると共に、ケース４の四隅にある隅部のそれぞれと対向するように配置されている。そして、４つの磁石５は、接着剤により、第１側板部４Ａ１と第２側板部４Ａ２のそれぞれの内面に固定されている。また、４つの磁石５は、例えば、内側がＮ極、外側がＳ極となるように配置されている。
【００３３】
次に、板ばね６及び固定側部材ＲＧについて説明する。図１１Ａ及び図１１Ｂは、板ばね６を説明する図である。図１１Ａは、上側板ばね１６の上面図であり、図１１Ｂは、下側板ばね２６の底面図である。図１２Ａ及び図１２Ｂは、下側板ばね２６Ｂとコイル３との接続状態の一例を説明する図である。具体的には、図１２Ａは、図１０Ａに示す部分Ｔの拡大図であり、図１２Ｂは、図１０Ａに示す部分ＴをＸ２側から見たときの下側板ばね２６Ｂ、コイル３及びレンズ保持部材２の拡大図である。なお、図１２Ａ及び図１２Ｂでは、半田等の接合材ＣＡがクロスハッチングパターンで示されている。図１３Ａ〜図１３Ｃは、固定側部材ＲＧを構成するベース部材１８を説明する図である。具体的には、図１３Ａは、ベース部材１８の上方斜視図であり、図１３Ｂは、ベース部材１８に下側板ばね２６を組み付けた状態の上方斜視図であり、図１３Ｃは、ベース部材１８に埋め込まれている金属部材７の上方斜視図である。
【００３４】
板ばね６は、銅合金を主な材料とした金属板から作製されている。板ばね６は、図１に示すように、レンズ保持部材２とケース４との間に配置される上側板ばね１６と、レンズ保持部材２とベース部材１８との間に配置される下側板ばね２６とを含む。レンズ保持部材２と板ばね６（上側板ばね１６、下側板ばね２６Ａ及び下側板ばね２６Ｂ）のそれぞれとが係合された状態で、板ばね６は、レンズ保持部材２が光軸ＪＤの方向（Ｚ軸方向）へ移動可能となるように、レンズ保持部材２を空中で支持している。下側板ばね２６は、コイル３に電流を供給するための給電部材として機能する。そのため、下側板ばね２６Ａはコイル３の一端に電気的且つ物理的に接続され、下側板ばね２６Ｂはコイル３の他端に電気的且つ物理的に接続されている。本実施形態では、上側板ばね１６は、電流が流れないため、非導電性部材で形成されていてもよい。上側板ばね１６とケース４との間にはスペーサ部材が配置されていてもよい。レンズ保持部材２がＺ１方向に移動したときにレンズ保持部材２とケース４とが衝突するのを防止するためである。なお、スペーサ部材が設けられた場合には、このスペーサ部材は固定側部材ＲＧの一部を構成する。
【００３５】
上側板ばね１６は、図１１Ａに示すように、略矩形状の外形を有し、レンズ保持部材２に固定される可動側支持部としての内側部分１６ｉと、固定側部材ＲＧに固定される固定側支持部としての外側部分１６ｅと、内側部分１６ｉと外側部分１６ｅとの間に位置する弾性腕部１６ｇとを含む。弾性腕部１６ｇは、第１弾性腕部１６ｇ１及び第２弾性腕部１６ｇ２を含む。外側部分１６ｅは、４つの角部分１６ｂと、４つの角部分１６ｂのうちの２つを繋ぐ４つの桟部１６ｒとを有している。角部分１６ｂは、ケース４の上面部４Ｂに形成された受け部４Ｒ（図１参照。）と磁石５とで挟持されて固定される。このように、ケース４及び磁石５は、固定側部材ＲＧとして機能する。
【００３６】
上側板ばね１６がレンズ駆動装置１０１に組み込まれた際には、図４Ａに示すように、内側部分１６ｉは、レンズ保持部材２の台座部１２ｄ（図５Ａ参照。）に載置される。そして、内側部分１６ｉと台座部１２ｄとを接着剤で固定することにより、内側部分１６ｉはレンズ保持部材２に固定される。外側部分１６ｅは、図４Ｂに示すように、磁石５の上面（Ｚ１側の面）に接し、ケース４と磁石５との間に挟持されて固定される。
【００３７】
上側板ばね１６は、図１１Ａに示すように、レンズ体の光軸ＪＤを表す黒点に関して略点対称となるように形成されている。そして、上側板ばね１６は、内側部分１６ｉでレンズ保持部材２に固定され、外側部分１６ｅでケース４に固定されている。そのため、上側板ばね１６は、レンズ保持部材２をバランス良く空中で支持できる。
【００３８】
下側板ばね２６Ａ及び下側板ばね２６Ｂは、図１１Ｂに示すように、それぞれの内側形状が略半円形状となるように構成されている。そして、下側板ばね２６Ａ及び下側板ばね２６Ｂのそれぞれは、レンズ保持部材２の撮像素子側に固定される可動側支持部としての内側部分２６ｉと、固定側部材ＲＧに固定される固定側支持部としての外側部分２６ｅと、内側部分２６ｉと外側部分２６ｅとの間に位置する弾性腕部２６ｇとを含む。具体的には、下側板ばね２６Ａは、内側部分２６Ａｉと、外側部分２６Ａｅと、弾性腕部２６Ａｇとを含む。また、下側板ばね２６Ｂは、内側部分２６Ｂｉと、外側部分２６Ｂｅと、弾性腕部２６Ｂｇとを含む。
【００３９】
内側部分２６Ａｉ及び内側部分２６Ｂｉは、図１１Ｂに示すように、レンズ保持部材２と係合される２つの内側接合部分２６ｃと、コイル３の延在部３３と対向する接続板部２６ｈと、２つの内側接合部分２６ｃのそれぞれと接続板部２６ｈとを繋ぐ２つの第１連結部２６ｐと、を含む。
【００４０】
下側板ばね２６Ａ及び下側板ばね２６Ｂがレンズ駆動装置１０１に組み込まれた際には、図６Ａに示すレンズ保持部材２の４つの突設部２ｔのそれぞれは、図１１Ｂに示す下側板ばね２６Ａ及び下側板ばね２６Ｂのそれぞれの内側接合部分２６ｃに設けられた円形の貫通孔に挿通されて嵌合される。これにより、内側部分２６Ａｉ及び内側部分２６Ｂｉは、レンズ保持部材２に位置決めされ且つ固定される。具体的には、内側部分２６Ａｉ及び内側部分２６Ｂｉは、例えば、レンズ保持部材２の突設部２ｔに熱かしめ又は冷間かしめを施すことで、レンズ保持部材２に固定される。
【００４１】
以下では、主に下側板ばね２６Ｂとレンズ保持部材２とコイル３との関係を説明する。但し、下側板ばね２６Ｂに関する説明は、下側板ばね２６Ａにも同様に適用される。
【００４２】
下側板ばね２６Ｂの内側部分２６Ｂｉの接続板部２６ｈは、図１２Ａ及び図１２Ｂに示すように、レンズ駆動装置１０１が組み立てられた際には、レンズ保持部材２のフランジ部５２と対向する。すなわち、接続板部２６ｈの被写体側（Ｚ１側）の面は、図１２Ａに示すように、フランジ部５２の撮像素子側（Ｚ２側）の面と対向する。そして、コイル３の延在部３３Ａの接続部３３ｃは、図１２Ｂに示すように、下側板ばね２６Ｂの内側部分２６Ｂｉの被写体側（Ｚ１側）で巻回部１３の巻き始め部分に繋がる。
【００４３】
内側部分２６Ｂｉの接続板部２６ｈには、図１２Ａに示すように、両側から切り欠かれた貫通部２６ｔが設けられている。貫通部２６ｔは、底面視で、接続板部２６ｈのＸ軸方向における幅が突出部７２Ａの幅に対応するように設けられている。この配置により、貫通部２６ｔは、接合材ＣＡが下側板ばね２６ＢのＺ２側の表面を伝って広がるのを防止している。また、突出部７２ＡのＸ２側の面に対応する位置には、舌部２６ｓが形成されている。この配置により、内側部分２６Ｂｉに形成された舌部２６ｓは、接合材ＣＡが下側板ばね２６ＢのＺ２側の表面を伝って突出部７２ＡのＸ２側の面に広がるのを容易にしている。下側板ばね２６Ｂと巻き付け部３３ｍとが接合材ＣＡを介して確実に接続されるようにするためである。
【００４４】
下側板ばね２６Ｂがレンズ保持部材２に組み付けられた際には、図１２Ｂに示すように、突出部７２Ａは、その先端が下側板ばね２６Ｂの内側部分２６Ｂｉの撮像素子側（Ｚ２側）に位置するように、内側部分２６Ｂｉよりも下方（Ｚ２方向）に突出している。また、巻き付け部３３ｍの一部も内側部分２６Ｂｉの撮像素子側（Ｚ２側）に位置するように突出部７２Ａに巻き付けられている。本実施形態では、巻き付け部３３ｍは、四角柱状の突出部７２Ａの４つの側面のうちの１つである第３面Ｓ３（図１４Ａ参照。）に対応する３つの巻線ターン部分の全てが内側部分２６ＢｉのＺ２側に露出するように、突出部７２Ａに巻き付けられている。但し、巻き付け部３３ｍは、第３面Ｓ３に対応する３つの巻線ターン部分のうちの先端側の２つ又は１つが内側部分２６ＢｉのＺ２側に露出するように、突出部７２Ａに巻き付けられていてもよい。
【００４５】
下側板ばね２６Ｂとコイル３の延在部３３Ａは、合成樹脂中に銀粒子等の導電性フィラーが分散された導電性接着剤等の半田以外の接合材で電気的且つ機械的に接続されていてもよい。導電性接着剤は、熱硬化型であってもよく、紫外線硬化型であってもよい。
【００４６】
下側板ばね２６Ｂの外側部分２６Ｂｅは、図１１Ｂに示すように、ベース部材１８と係合される外側接合部分２６ｄを含む。外側接合部分２６ｄは、第１外側接合部分２６ｄ１及び第２外側接合部分２６ｄ２を含む。本実施形態では、下側板ばね２６Ｂは、小型化のため、２つの外側接合部分２６ｄを繋ぐ連結部が省略されている。下側板ばね２６Ｂの外側接合部分２６ｄに設けられた貫通孔は、ベース部材１８の上面に設けられた突設部１８ｔ（図１３Ａ参照。）と嵌合する。これにより、下側板ばね２６Ｂの外側部分２６Ｂｅは、ベース部材１８に位置決めされ且つ固定される。
【００４７】
下側板ばね２６Ａ及び下側板ばね２６Ｂは、図１１Ｂに示すように、レンズ体の光軸ＪＤを表す黒点に関して略点対称となるように形成されている。そして、下側板ばね２６Ａは、２つの内側接合部分２６ｃでレンズ保持部材２に接続され、２つの外側接合部分２６ｄでベース部材１８に接続されている。本実施形態では、下側板ばね２６Ａは、第１外側接合部分２６ｄ１のところで溶接により金属部材７を介してベース部材１８に接合され、第２外側接合部分２６ｄ２のところで熱硬化型の接着剤によりベース部材１８に接合される。下側板ばね２６Ｂについても同様である。この構成により、下側板ばね２６Ａ及び下側板ばね２６Ｂは、レンズ保持部材２を光軸ＪＤの方向へ移動可能な状態でバランス良く空中で支持することができる。
【００４８】
次に、固定側部材ＲＧについて説明する。固定側部材ＲＧは、上側板ばね１６を固定するケース４及び磁石５と、下側板ばね２６Ａ及び下側板ばね２６Ｂのそれぞれを固定するベース部材１８とを含む。
【００４９】
ベース部材１８は、液晶ポリマー等の合成樹脂を用いた射出成形によって作製される。本実施形態では、ベース部材１８は、図１３Ａに示すように、矩形状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通孔に挿通され且つ嵌合される。この際、突設部１８ｔは熱かしめ又は冷間かしめが施されて外側接合部分２６ｄに固定される。
【００５０】
また、下側板ばね２６は、熱かしめ又は冷間かしめによって突設部１８ｔが外側接合部分２６ｄに固定された後で、溶接及び接着剤によってベース部材１８に固定される。具体的には、第１外側接合部分２６ｄ１は、溶接によって金属部材７を介してベース部材１８に固定され、第２外側接合部分２６ｄ２は、熱硬化型の接着剤によってベース部材１８に固定される。
【００５１】
より具体的には、図１１Ｂに示すように、下側板ばね２６Ａが金属部材７に溶接される部分である第１外側接合部分２６ｄ１には突設部１８ｔが挿通される１つの貫通孔が形成され、下側板ばね２６Ａが接着剤でベース部材１８に接着される第２外側接合部分２６ｄ２には突設部１８ｔが挿通される２つの貫通孔が形成されている。第２外側接合部分２６ｄ２に１つの貫通孔のみが形成されている場合、接着剤が塗布されるまでは或いは接着剤が剥がれてしまうと、下側板ばね２６Ａは、その１つの貫通孔に挿通され且つかしめられる突設部１８ｔの回りで回転し或いは平行移動してしまう場合がある。第２外側接合部分２６ｄ２に形成されている２つの貫通孔は、この回転及び平行移動を抑制し或いは防止する効果をもたらす。但し、第２外側接合部分２６ｄ２に形成される貫通孔は１つであってもよい。
【００５２】
ベース部材１８には、図１３Ａに示すように、銅若しくは鉄又はそれらを主成分とする合金等の材料を含む金属から形成された金属部材７がインサート成形されて埋め込まれている。金属部材７は、端子７Ａ及び端子７Ｂを含む。端子７Ａは、露出部７Ａ１のところでベース部材１８の上面（Ｚ１側の面）に露出し、端子７Ｂは、露出部７Ｂ１のところでベース部材１８の上面（Ｚ１側の面）に露出している。そして、互いに電気的に絶縁されている端子７Ａ及び端子７Ｂのそれぞれは、撮像素子を実装した基板上の導体部（図示せず。）に電気的に接続されている。また、端子７Ａは溶接等により露出部７Ａ１で下側板ばね２６Ａに電気的且つ物理的に接続され、端子７Ｂは溶接等により露出部７Ｂ１で下側板ばね２６Ｂに電気的且つ物理的に接続されている。更に、下側板ばね２６Ａはコイル３の一端に電気的に接続され、下側板ばね２６Ｂはコイル３の他端に電気的に接続されている。そのため、コイル３は、端子７Ａ、端子７Ｂ、下側板ばね２６Ａ及び下側板ばね２６Ｂを介して電流の供給を受けることができる。
【００５３】
ベース部材１８には、端子７Ａ及び端子７Ｂと同様に、銅若しくは鉄又はそれらを主成分とする合金等の材料を含む金属から形成された接続部材７Ｄもインサート成形されて埋め込まれている。接続部材７Ｄは、図２Ａに示すように、ケース４の四隅の下端部のところで、ベース部材１８から一部を露出させている。ベース部材１８は、ケース４の外壁部４Ａの内面とベース部材１８の側壁面１８Ｗとが組み合わさって位置決めされた後で、接続部材７Ｄとケース４の四隅の下端部とが溶接されてケース４に固定される。外壁部４Ａの下面（Ｚ２側の端面）は、ベース部材１８のフランジ部１８Ｆ（図１３Ａ参照。）の上面（Ｚ１側の端面）と接するように構成されている。
【００５４】
次に、図１４Ａ、図１４Ｂ、図１５Ａ及び図１５Ｂを参照し、突出部７２の詳細について説明する。図１４Ａ及び図１４Ｂは、突出部７２Ａの左側面図であり、図１２Ｂに示す部分Ｕに対応する。具体的には、図１４Ａは延在部３３Ａが巻き付けられる前の突出部７２Ａの状態を示し、図１４Ｂは延在部３３Ａが巻き付けられた後の突出部７２Ａの状態を示す。図１５Ａ及び図１５Ｂは、突出部７２Ｂの上方斜視図であり、図５Ａに示す部分Ｖに対応する。具体的には、図１５Ａは延在部３３Ｂが巻き付けられる前の突出部７２Ｂの状態を示し、図１５Ｂは延在部３３Ｂが巻き付けられた後の突出部７２Ｂの状態を示す。なお、図１５Ｂは、コイル３の巻回部１３の図示を省略している。
【００５５】
本実施形態では、突出部７２Ａと突出部７２Ｂは、レンズ体の光軸ＪＤを含むＸＺ平面に関して互いに面対称の関係にある。そのため、突出部７２Ａに関する説明は、突出部７２Ｂにも適用される。その逆についても同様である。
【００５６】
突出部７２Ａは、図１４Ａに示すように、コイル３の巻回部１３が配置されない側、すなわち、フランジ部５２の上面（Ｚ１側の面）よりも下側（Ｚ２側）で、一点鎖線で示す突出軸７２ＡＸに沿って左斜め下方に延びるように構成されている。突出軸７２ＡＸは、例えば、破線で示すＸＹ平面に平行な平面ＨＰに関して角度θを形成する。角度θは、例えば、３０度以上６０度以下である。本実施形態では、角度θは４５度である。但し、突出部７２Ａは、左斜め上方に延びるように構成されていてもよく、フランジ部５２の上面（Ｚ１側の面）よりも上側（Ｚ１側）にその一部が位置するように構成されていてもよい。また、レンズ保持部材２を底面側（Ｚ２側）から見た場合に、突出部７２Ａは、Ｙ軸方向に沿って突出するものに限らず、Ｙ軸に対して傾斜して突出していてもよい。
【００５７】
突出部７２Ａは、延在部３３Ａが巻き付けられる中央部分ＣＰ、中央部分ＣＰよりもレンズ保持部材２に近い側にある根元部分ＢＰ、及び、中央部分ＣＰよりもレンズ保持部材２から遠い側にある先端部分ＴＰを有する。図１４Ａは、根元部分ＢＰ、中央部分ＣＰ及び先端部分ＴＰを破線で区切って示している。
【００５８】
根元部分ＢＰの平坦な上面ＴＳ１は、Ｚ軸方向において、フランジ部５２の上面ＴＳ２と同じ高さとなるように形成されている。具体的には、上面ＴＳ１は、図５Ａに示すように、フランジ部５２における隣り合う２つの上面ＴＳ２のそれぞれから間隔を空けて配置され、且つ、それら２つの上面ＴＳ２の中間に配置されるように形成されている。フランジ部５２と共にコイル３の巻回部１３の一部を支持するためである。なお、本実施形態では、上面ＴＳ１は、コイル３の径方向における幅が、コイル３の巻回部１３の幅の半分程度となるように形成されているが、その幅は、より狭くてもよく、より広くてもよい。また、上面ＴＳ１は、コイル３の周方向における長さが、対応する庇部１２ｈの長さの５分の１程度となるように形成されているが、その長さは、より長くてもよく、より短くてもよい。この構成により、突出部７２Ａの根元部分ＢＰは、フランジ部５２と共に、光軸ＪＤに沿って巻回部１３がＺ２方向に移動するのを防止できる。また、根元部分ＢＰは、フランジ部５２と共に巻回部１３を支持できるため、コイル３の巻き形状を安定化させることができる。すなわち、根元部分ＢＰは、コイル３の巻き形状が乱れてしまうのを防止できる。
【００５９】
先端部分ＴＰには、張り出し部７３が形成されている。張り出し部７３は、延在部３３Ａの巻き付け部３３ｍが先端部分ＴＰ側に移動するのを止めるように構成されている。すなわち、張り出し部７３は、巻き付け部３３ｍが突出部７２Ａから抜けてしまうのを防止する抜け止め部として機能する。本実施形態では、張り出し部７３は、第１張り出し部７３ａ及び第２張り出し部７３ｂを含む。突出部７２Ａの第１張り出し部７３ａは、図１４Ａの矢印ＡＲ２Ａで示すように、中央部分ＣＰの第１面Ｓ１から、突出軸７２ＡＸと平行でない方向の一例であるＹ１方向に張り出すように構成されている。突出部７２Ａの第２張り出し部７３ｂは、図１４Ａの矢印ＡＲ３Ａで示すように、中央部分ＣＰの第３面Ｓ３から、突出軸７２ＡＸと平行でない方向の別の一例であるＺ２方向に張り出すように構成されている。この例では、第１張り出し部７３ａは、第２張り出し部７３ｂの張り出し方向に垂直に張り出すように形成されている。
【００６０】
同様に、突出部７２Ｂの第１張り出し部７３ａは、図１５Ａの矢印ＡＲ２Ｂで示すように、中央部分ＣＰの第１面Ｓ１からＹ２方向に張り出すように構成されている。突出部７２Ｂの第２張り出し部７３ｂは、図１５Ａの矢印ＡＲ３Ｂで示すように、中央部分ＣＰの第３面Ｓ３からＺ２方向に張り出すように構成されている。この例では、突出部７２Ｂにおいても、第１張り出し部７３ａは、第２張り出し部７３ｂの張り出し方向に垂直に張り出すように形成されている。
【００６１】
張り出し部７３は、図１５Ａの矢印ＡＲ４で示すように、中央部分ＣＰの第２面Ｓ２を第１部分Ｓ２ａと第２部分Ｓ２ｂに分割するようにＸ１方向に張り出す第３張り出し部７３ｃを含む。同様に、張り出し部７３は、図１５Ａの矢印ＡＲ５で示すように、中央部分ＣＰの第４面Ｓ４を２つに分割するようにＸ２方向に張り出す第４張り出し部７３ｄを含む。
【００６２】
第１張り出し部７３ａ、第３張り出し部７３ｃ及び第４張り出し部７３ｄは、レンズ保持部材２を成形する際に使用される金型の分割面であるパーティング面を利用して形成されている。但し、第３張り出し部７３ｃ及び第４張り出し部７３ｄは省略されてもよい。すなわち、突出部７２Ａ及び突出部７２Ｂは何れも、中央部分ＣＰの第２面Ｓ２における第１部分Ｓ２ａと第２部分Ｓ２ｂとが面一となるように形成されていてもよい。第４面Ｓ４についても同様である。
【００６３】
この構成により、突出部７２Ａにおける互いに垂直に張り出す第１張り出し部７３ａ及び第２張り出し部７３ｂは、協働して、延在部３３Ａの巻き付け部３３ｍが突出軸７２ＡＸに沿って先端部分ＴＰ側に移動するのをより確実に止めることができる。突出部７２Ｂについても同様である。また、第１張り出し部７３ａは、金型の抜き方向に垂直な方向に沿って張り出すように形成され、且つ、第２張り出し部７３ｂは、金型の抜き方向に沿って張り出すように形成されている。すなわち、張り出し部７３は、アンダーカットが生じないように形成されている。そのため、この構成は、金型の構造を過度に複雑にしてしまうこともない。突出部７２Ｂについても同様である。
【００６４】
突出部７２Ａの中央部分ＣＰは、所定の巻線ターン数で延在部３３Ａが巻き付けられるように突出軸７２ＡＸに沿う長さが決められている。本実施形態では、中央部分ＣＰは、図１４Ｂに示すように、線材が少なくとも３ターンで巻き付けられる長さを有する。このため、突出部７２Ａに線材が複数ターンで巻き付けられた部分である延在部３３Ａの巻き付け部３３ｍは、その軸線（中心線）が突出軸７２ＡＸに一致する。したがって、巻き付け部３３ｍの軸線に沿った直線は、コイル３の巻回部１３の軸線（光軸ＪＤ）に沿った直線に対して、所定の角度（例えば、３０度以上６０度以下の角度）で傾斜している。延在部３３Ｂの巻き付け部３３ｍについても同様である。
【００６５】
レンズ保持部材２は、望ましくは、突出部７２Ａの周囲に所定の空きスペースが形成されるように構成されている。例えば、レンズ保持部材２は、自動巻線機の巻線ノズルの作業空間が確保されるよう、突出部７２Ａの周囲の所定範囲には物体が存在しないように形成されている。図１４Ｂの破線で示す空間ＳＰは、巻線ノズルの作業空間の一例である。本実施形態では、空間ＳＰは、突出軸７２ＡＸを中心軸とする円柱状の空間である。自動巻線機は、突出軸７２ＡＸの回りで巻線ノズルを回転させながら線材を突出部７２Ａに巻き付けるためである。具体的には、レンズ保持部材２は、図１４Ｂに示すように、コイル３の巻回部１３、突設部２ｔ及びフランジ部５２等の物体が空間ＳＰ内に配置されないよう、その形状及び寸法が決定されている。空間ＳＰ内に物体が配置されていると、自動巻線機によって線材が突出部７２Ａに巻き付けられる際に、物体と巻線ノズルとが接触してしまうためである。
【００６６】
次に、図１６Ａ〜図１６Ｃを参照し、本発明の実施形態に係るレンズ駆動装置１０１を構成するレンズ保持部材２に形成された突出部７２の効果について説明する。図１６Ａ〜図１６Ｃは、３種類の突出部の左側面図である。具体的には、図１６Ａは、参考例としてのレンズ保持部材１０２に形成された突出部１７２の左側面図である。図１６Ｂは、別の参考例としてのレンズ保持部材２０２に形成された突出部２７２の左側面図である。図１６Ｃは、本発明の実施形態に係るレンズ保持部材２に形成された突出部７２Ａの左側面図であり、図１４Ｂに対応する。比較のため、突出部７２Ａ、突出部１７２及び突出部２７２における巻き付け部３３ｍは、巻線ターン数及び巻線径が同じになるように形成されている。
【００６７】
参考例としてのレンズ保持部材１０２に形成された突出部１７２は、図１６Ａに示すように、フランジ部５２の下面から突出軸１７２Ｘに沿ってＺ２方向に突出するように形成されている。突出部１７２を突出させる理由は、例えば、コイル３を構成する線材が突出部１７２に３ターン巻き付けられるようにするため、下側板ばね２６と巻き付け部３３ｍとの間の接合材ＣＡによる接合が実現されるようにするため、及び、巻線ノズルの作業空間である空間ＳＰに物体が配置されないようにするためである。更に、その理由は、望ましくは、突出部１７２に巻き付けられた線材が突出部１７２から抜け落ちるのを防止するための張り出し部が配置されるようにするためでもある。そのため、突出部１７２のＺ２方向への突出高さは、高さＨｒとなっている。突出部１７２のＺ２方向への突出高さが大きいと、レンズ保持部材２のＺ軸方向における高さも大きくなり、ひいては、レンズ駆動装置１０１のＺ軸方向における高さも大きくなってしまう。すなわち、突出部１７２のＺ２方向への突出高さが大きいことは、レンズ駆動装置１０１の小型化若しくは低背化を妨げてしまう。
【００６８】
別の参考例としてのレンズ保持部材２０２に形成された突出部２７２は、図１６Ｂに示すように、フランジ部５２の側面から突出軸２７２Ｘに沿ってＹ１方向に突出するように形成されている。突出部２７２を突出させる理由は、図１６Ａの場合と同様である。更に、その理由は、望ましくは、張り出し部が配置されるようにするためでもある。そのため、巻回部１３の端面からの突出部２７２のＹ１方向への突出幅は、幅Ｗｒとなっている。突出部２７２のＹ１方向への突出幅が大きいと、レンズ保持部材２のＹ軸方向における幅も大きくなり、ひいては、レンズ駆動装置１０１のＹ軸方向における幅も大きくなってしまう。すなわち、突出部２７２のＹ１方向への突出幅が大きいことは、レンズ駆動装置１０１の小型化、或いは、レンズ径の大型化を妨げてしまう。
【００６９】
これに対し、本発明の実施形態に係るレンズ保持部材２に形成された突出部７２Ａは、図１６Ｃに示すように、フランジ部５２から突出軸７２ＡＸに沿って斜め外方に突出するように形成されている。突出部７２Ａを突出させる理由は、図１６Ａ及び図１６Ｂの場合と同様である。更に、その理由は、望ましくは、張り出し部が配置されるようにするためでもある。そのため、突出部７２ＡのＺ２方向への突出高さは、高さＨｔとなっている。但し、高さＨｔは、高さＨｒ（図１６Ａも参照。）よりΔＨだけ小さい。また、巻回部１３の端面からの突出部７２ＡのＹ１方向への突出幅は、幅Ｗｔとなっている。但し、幅Ｗｔは、幅Ｗｒ（図１６Ｂも参照。）よりΔＷだけ小さい。
【００７０】
このように、本発明の実施形態に係るレンズ駆動装置１０１では、突出部７２が、光軸ＪＤに平行な方向でも垂直な方向でもなく、斜め外方に突出するように構成されている。そのため、突出部７２は、空間ＳＰを確保しながら、Ｙ軸方向の突出幅とＺ軸方向の突出高さとをバランス良く調整できる。その結果、突出部７２は、自動巻線機による線材の突出部７２への巻き付けを可能とし、且つ、レンズ保持部材２の光軸ＪＤに垂直な方向における寸法の増大を抑えながら、レンズ保持部材２の光軸ＪＤの方向における寸法を低減させることができる。その結果、突出部７２は、レンズ駆動装置１０１の小型化に貢献できる。
【００７１】
上述のように、本発明の実施形態に係るレンズ駆動装置１０１は、固定側部材ＲＧと、レンズ体を保持可能なレンズ保持部材２と、レンズ保持部材２を光軸ＪＤの方向に移動可能に支持する板ばね６と、レンズ保持部材２に保持されるコイル３と、コイル３に対向する磁石５と、を備えている。板ばね６は、上側板ばね１６及び下側板ばね２６を含む。下側板ばね２６は、下側板ばね２６Ａ及び下側板ばね２６Ｂを含む。上側板ばね１６は、固定側部材ＲＧとしてのケース４に固定される固定側支持部としての外側部分１６ｅと、レンズ保持部材２に固定される可動側支持部としての内側部分１６ｉと、を備えている。下側板ばね２６Ａ及び下側板ばね２６Ｂのそれぞれは、固定側部材ＲＧとしてのベース部材１８に固定される固定側支持部としての外側部分２６ｅと、レンズ保持部材２に固定される可動側支持部としての内側部分２６ｉと、を備えている。コイル３は、レンズ保持部材２に保持される巻回部１３と、巻回部１３に繋がる延在部３３とを有している。延在部３３は、下側板ばね２６に電気的に接続されている。レンズ保持部材２は、延在部３３が巻き付けられる突出部７２を有している。そして、突出部７２は、光軸ＪＤに対して斜め外方へ突出している。上記構成は、光軸ＪＤの方向における突出部７２の突出量を抑えることができるという効果をもたらし、ひいては、レンズ駆動装置１０１の更なる小型化（低背化）を実現できるという効果をもたらす。
【００７２】
また、突出部７２が斜め外方に延びる構成は、図１６Ａ又は図１６Ｂに示すような光軸ＪＤに平行な方向又は垂直な方向に突出部が延びる構成に比べ、巻線ノズルの作業空間である空間ＳＰを確保し易いという利点を有する。そのため、上記構成は、突設部２ｔ、コイル支持部１２ｊ及びフランジ部５２等のレンズ保持部材２における他の機能部分に悪影響を及ぼすことなく、光軸ＪＤの方向における突出部７２の突出量を抑えることができるという効果をもたらす。
【００７３】
突出部７２の先端部分ＴＰには、張り出し部７３が形成されていてもよい。この場合、延在部３３は、張り出し部７３よりも突出部７２の根元部分ＢＰに近い側に巻き付けられる。具体的には、延在部３３は、図１４Ｂ及び図１５Ｂに示すように、張り出し部７３（第１張り出し部７３ａ及び第２張り出し部７３ｂ）よりも突出部７２の根元部分ＢＰに近い側にある中央部分ＣＰに巻き付けられる。この構成は、突出部７２に巻き付けられた線材が突出部７２から抜け落ちるのを防止できるという効果をもたらす。
【００７４】
突出部７２の先端部分ＴＰには、第１張り出し部７３ａと第２張り出し部７３ｂが形成されていてもよい。この場合、第１張り出し部７３ａは、第２張り出し部７３ｂの張り出し方向に垂直に張り出していてもよい。この構成は、２つの張り出し部の協働により、突出部７２に巻き付けられた線材が突出部７２から抜け落ちるのをより確実に防止できるという効果をもたらす。また、２つの張り出し部が何れも金型の抜き方向又は抜き方向に垂直な方向に張り出している構成は、金型の構造を比較的単純な構造にできるという効果をもたらす。
【００７５】
レンズ保持部材２は、光軸ＪＤの方向における巻回部１３の移動を規制する規制部としてのフランジ部５２を有していてもよい。この場合、突出部７２は、フランジ部５２の一部を構成していてもよい。例えば、図１５Ａに示すように、突出部７２Ｂを構成する根元部分ＢＰの平坦な上面ＴＳ１は、フランジ部５２の上面ＴＳ２（図５Ａ参照。）と共に、コイル３の巻回部１３を支持するように構成されていてもよい。この構成により、突出部７２は、フランジ部５２と共に、光軸に沿って巻回部１３がＺ２方向に移動するのを防止できる。また、突出部７２は、フランジ部５２と共に巻回部１３を支持できるため、コイル３の巻き形状を安定化させることができる。すなわち、突出部７２は、コイル３の巻き形状が乱れてしまうのを防止できる。
【００７６】
突出部７２は、望ましくは、光軸ＪＤに垂直な平面に対して３０度以上６０度以下の角度θで突出している。この場合、レンズ保持部材２は、例えば、巻線ノズルの作業空間である空間ＳＰを確保しながら、Ｙ軸方向の突出幅とＺ軸方向の突出高さとをバランス良く調整できる。そのため、この構成は、自動巻線機による線材の突出部７２への巻き付けを可能とし、且つ、レンズ保持部材２の光軸ＪＤに垂直な方向における寸法の増大を抑えながら、レンズ保持部材２の光軸ＪＤの方向における寸法を低減させることができる。その結果、この構成は、レンズ駆動装置１０１の小型化に貢献できる。
【００７７】
突出部７２は、コイル３の一端が巻き付けられる第１の突出部７２Ａと、コイル３の他端が巻き付けられる第２の突出部７２Ｂとを含んでいてもよい。この場合、第１の突出部７２Ａ及び第２の突出部７２Ｂは、レンズ体の光軸ＪＤを挟んで対向する位置に配置され、且つ、互いに離れる方向に突出するように構成されていてもよい。例えば、図６Ａに示すように、突出部７２Ａは光軸ＪＤに関してＹ１側に配置され、突出部７２Ｂは光軸ＪＤに関してＹ２側に配置されている。そして、突出部７２Ａと突出部７２Ｂは、光軸ＪＤを含むＸＺ平面に関して互いに面対称の関係にある。また、突出部７２Ａ及び突出部７２Ｂは、図６Ａの矢印ＡＲ１で示すように、底面視で互いに離れる方向に突出するように構成されている。この構成は、突出部７２Ａ及び突出部７２Ｂの一方に線材を巻き付ける際に他方が邪魔にならないという効果をもたらす。
【００７８】
固定側部材ＲＧは、一対の側板部としての第１側板部４Ａ１と、別の一対の側板部としての第２側板部４Ａ２とを有する矩形箱状のケース４を含んでいてもよい。例えば、図１０Ａに示すように、第１の突出部７２Ａは、第２側板部４Ａ２のうちの一方に対向するように配置され、第２の突出部７２Ｂは、第２側板部４Ａ２のうちの他方に対向するように配置されていてもよい。或いは、第１の突出部７２Ａは、第１側板部４Ａ１のうちの一方に対向するように配置され、第２の突出部７２Ｂは、第１側板部４Ａ１のうちの他方に対向するように配置されていてもよい。そして、磁石５は、ケース４の隅部に対向するように配置されていてもよい。例えば、図１０Ｂに示すように、４つの磁石５のそれぞれは、ケース４の四隅にある隅部のそれぞれに対向するように配置されていてもよい。この構成は、ケース４の内部のスペース効率の向上をもたらし、ひいては、レンズ駆動装置１０１の更なる小型化をもたらす。
【００７９】
次に、図１７を参照し、上側板ばね１６の詳細について説明する。図１７は、上側板ばね１６の上面図であり、図１１Ａに対応する。
【００８０】
上側板ばね１６は、内側部分１６ｉと外側部分１６ｅとを繋ぐ２つの弾性腕部１６ｇを有する。２つの弾性腕部１６ｇは、第１弾性腕部１６ｇ１及び第２弾性腕部１６ｇ２である。
【００８１】
本実施形態では、第１弾性腕部１６ｇ１は、三分岐形状を有する。具体的には、第１弾性腕部１６ｇ１は、分岐部ＢＦ、分岐部ＢＦから第１端部ＴＡ１に延びる第１腕部ＡＭ１、分岐部ＢＦから第２端部ＴＡ２に延びる第２腕部ＡＭ２、及び、分岐部ＢＦから第３端部ＴＡ３に延びる第３腕部ＡＭ３を有する。第２弾性腕部１６ｇ２についても同様である。図１７は、便宜上、分岐部ＢＦ、第１端部ＴＡ１、第２端部ＴＡ２、第３端部ＴＡ３及び光軸ＪＤの位置を黒丸で示している。
【００８２】
第１弾性腕部１６ｇ１に関する第１端部ＴＡ１は、外側部分１６ｅを構成する４つの角部分１６ｂのうちの１つである右上角部分１６ｂＴＲに繋がっている。第２弾性腕部１６ｇ２に関する第１端部ＴＡ１は、４つの角部分１６ｂのうちの別の１つである左下角部分１６ｂＢＬに繋がっている。
【００８３】
第１弾性腕部１６ｇ１に関する第２端部ＴＡ２は、内側部分１６ｉを構成する２つの内側接合部分１６ｃのうちの１つである左内側接合部分１６ｃＬに繋がっている。第２弾性腕部１６ｇ２に関する第２端部ＴＡ２は、２つの内側接合部分１６ｃのうちの別の１つである右内側接合部分１６ｃＲに繋がっている。
【００８４】
第１弾性腕部１６ｇ１に関する第３端部ＴＡ３は、右内側接合部分１６ｃＲに繋がっている。第２弾性腕部１６ｇ２に関する第３端部ＴＡ３は、左内側接合部分１６ｃＬに繋がっている。
【００８５】
外側部分１６ｅを構成する４つの角部分１６ｂのうちの２つである右下角部分１６ｂＢＲ及び左上角部分１６ｂＴＬは、第１弾性腕部１６ｇ１及び第２弾性腕部１６ｇ２の何れにも繋がっていない。
【００８６】
第１弾性腕部１６ｇ１に関し、光軸ＪＤ及び分岐部ＢＦを結ぶ線分Ｌ０と、光軸ＪＤ及び第１端部ＴＡ１を結ぶ線分Ｌ１との間には角度αが形成されている。同様に、光軸ＪＤ及び第２端部ＴＡ２を結ぶ線分Ｌ２と線分Ｌ０との間には角度βが形成され、光軸ＪＤ及び第３端部ＴＡ３を結ぶ線分Ｌ３と線分Ｌ０との間には角度γが形成されている。４つの線分Ｌ０〜Ｌ３のうちの何れか２つの間に形成される角度の最大値は、線分Ｌ２と線分Ｌ３との間に形成される角度δ（＝β＋γ）である。第２弾性腕部１６ｇ２についても同様である。
【００８７】
このように、本実施形態では、弾性腕部１６ｇは、角度δが角度βよりも大きくなるように構成されている。すなわち、分岐部ＢＦから光軸ＪＤを中心とする円の第１周方向（反時計回り方向）に第１腕部ＡＭ１及び第２腕部ＡＭ２が延び、分岐部ＢＦから第１周方向とは逆の第２周方向（時計回り方向）に第３腕部ＡＭ３が延びるように構成されている。また、第２腕部ＡＭ２が第１腕部ＡＭ１よりも長くなるように構成されている。この構成により、弾性腕部１６ｇは、光軸ＪＤの方向に関する適切なばね定数を実現しながら、光軸ＪＤに垂直な方向に関する適切なばね剛性を実現できる。適切なばね定数は、駆動機構ＭＫが発生させる推力、並びに、レンズ保持部材２及びコイル３等の可動側部材の重量等に応じて決まる。
【００８８】
次に、図１８を参照し、下側板ばね２６の詳細について説明する。図１８は、下側板ばね２６の底面図であり、図１１Ｂに対応する。
【００８９】
下側板ばね２６は、下側板ばね２６Ａ及び下側板ばね２６Ｂを含む。下側板ばね２６Ａは、内側部分２６Ａｉと、外側部分２６Ａｅを構成する第１外側接合部分２６ｄ１と、外側部分２６Ａｅを構成する第２外側接合部分２６ｄ２とを繋ぐ弾性腕部２６Ａｇを有している。下側板ばね２６Ｂは、内側部分２６Ｂｉと、外側部分２６Ｂｅを構成する第１外側接合部分２６ｄ１と、外側部分２６Ｂｅを構成する第２外側接合部分２６ｄ２とを繋ぐ弾性腕部２６Ｂｇを有している。
【００９０】
本実施形態では、下側板ばね２６Ａの弾性腕部２６Ａｇは、三分岐形状を有する。具体的には、弾性腕部２６Ａｇは、分岐部ＢＦ、分岐部ＢＦから第１端部ＴＡ１に延びる第１腕部ＡＭ１、分岐部ＢＦから第２端部ＴＡ２に延びる第２腕部ＡＭ２、及び、分岐部ＢＦから第３端部ＴＡ３に延びる第３腕部ＡＭ３を有する。下側板ばね２６Ｂの弾性腕部２６Ｂｇについても同様である。図１８は、便宜上、分岐部ＢＦ、第１端部ＴＡ１、第２端部ＴＡ２、第３端部ＴＡ３及び光軸ＪＤの位置を黒丸で示している。
【００９１】
弾性腕部２６Ａｇに関する第１端部ＴＡ１は、外側部分２６Ａｅを構成する第１外側接合部分２６ｄ１に繋がっている。弾性腕部２６Ｂｇに関する第１端部ＴＡ１は、外側部分２６Ｂｅを構成する第２外側接合部分２６ｄ２に繋がっている。
【００９２】
弾性腕部２６Ａｇに関する第２端部ＴＡ２は、内側部分２６Ａｉに繋がっている。弾性腕部２６Ｂｇに関する第２端部ＴＡ２は、内側部分２６Ｂｉに繋がっている。
【００９３】
弾性腕部２６Ａｇに関する第３端部ＴＡ３は、外側部分２６Ａｅを構成する第２外側接合部分２６ｄ２に繋がっている。弾性腕部２６Ｂｇに関する第３端部ＴＡ３は、外側部分２６Ｂｅを構成する第１外側接合部分２６ｄ１に繋がっている。
【００９４】
弾性腕部２６Ａｇに関し、光軸ＪＤ及び分岐部ＢＦを結ぶ線分Ｌ０と、光軸ＪＤ及び第１端部ＴＡ１を結ぶ線分Ｌ１との間には角度αが形成されている。同様に、光軸ＪＤ及び第２端部ＴＡ２を結ぶ線分Ｌ２と線分Ｌ０との間には角度βが形成され、光軸ＪＤ及び第３端部ＴＡ３を結ぶ線分Ｌ３と線分Ｌ０との間には角度γが形成されている。４つの線分Ｌ０〜Ｌ３のうちの何れか２つの間に形成される角度の最大値は、線分Ｌ２と線分Ｌ３との間に形成される角度δ（＝β＋γ）である。弾性腕部２６Ｂｇについても同様である。
【００９５】
このように、本実施形態では、弾性腕部２６ｇは、角度δが角度βよりも大きくなるように構成されている。すなわち、分岐部ＢＦから光軸ＪＤを中心とする円の第１周方向に第１腕部ＡＭ１及び第２腕部ＡＭ２が延び、分岐部ＢＦから第１周方向とは逆の第２周方向に第３腕部ＡＭ３が延びるように構成されている。また、第２腕部ＡＭ２が第１腕部ＡＭ１よりも長くなるように構成されている。この構成により、弾性腕部２６ｇは、光軸ＪＤの方向に関する適切なばね定数を実現しながら、光軸ＪＤに垂直な方向に関する適切なばね剛性を実現できる。
【００９６】
上述のように、本発明の実施形態に係るレンズ駆動装置１０１は、固定側部材ＲＧと、レンズ体を保持可能なレンズ保持部材２と、レンズ保持部材２を光軸ＪＤの方向に移動可能に支持する板ばね６と、レンズ保持部材２に保持されるコイル３と、コイル３に対向する磁石５と、を備えている。そして、板ばね６は、レンズ保持部材２の上側（Ｚ１側）に配置される上側板ばね１６と、レンズ保持部材２の下側（Ｚ２側）に配置される下側板ばね２６とを含む。上側板ばね１６及び下側板ばね２６の少なくとも一方は、固定側部材ＲＧとレンズ保持部材２とを２つの弾性腕部で繋いでいる。例えば、上側板ばね１６は、固定側部材ＲＧとしてのケース４とレンズ保持部材２とを第１弾性腕部１６ｇ１及び第２弾性腕部１６ｇ２で繋いでいてもよい。具体的には、図１７に示すように、内側部分１６ｉと外側部分１６ｅとを第１弾性腕部１６ｇ１及び第２弾性腕部１６ｇ２で繋いでいてもよい。また、下側板ばね２６は、固定側部材ＲＧとしてのベース部材１８とレンズ保持部材２とを、下側板ばね２６Ａの弾性腕部２６Ａｇ、及び、下側板ばね２６Ｂの弾性腕部２６Ｂｇで繋いでいてもよい。具体的には、図１８に示すように、下側板ばね２６Ａの内側部分２６Ａｉと下側板ばね２６Ａの２つの外側部分２６Ａｅとを弾性腕部２６Ａｇで繋ぎ、且つ、下側板ばね２６Ｂの内側部分２６Ｂｉと下側板ばね２６Ｂの２つの外側部分２６Ｂｅとを弾性腕部２６Ｂｇで繋いでいてもよい。
【００９７】
固定側部材ＲＧとレンズ保持部材２とが２つの弾性腕部で繋がれた構成により、レンズ駆動装置１０１は、弾性腕部の数が３つ以上の場合に比べ、それら２つの弾性腕部を長くすることができる。弾性腕部を収容するためのスペースを確保し易いためである。その結果、レンズ駆動装置１０１は、小型化された場合であっても、すなわち、所望の長さを有する３つ以上の弾性腕部を収容するスペースを確保できない場合であっても、適切なばね定数を実現できる。これは、小型化が適切に実現され得ることを意味する。具体的には、レンズ保持部材２及びコイル３等の可動側部材の重量が減少した場合、或いは、磁石５の小型化により駆動機構ＭＫが発生可能な駆動力（推力）が減少した場合に、ばね定数を適切に低減させることができる。なお、ばね定数は、光軸ＪＤの方向に関するばね定数、及び、光軸ＪＤに垂直な方向に関するばね定数を含む。
【００９８】
第１弾性腕部１６ｇ１は、外側部分１６ｅを介して固定側部材ＲＧとしてのケース４に繋がる第１端部ＴＡ１と、内側部分１６ｉを介してレンズ保持部材２に繋がる第２端部ＴＡ２と、内側部分１６ｉを介してレンズ保持部材２に繋がる第３端部ＴＡ３とを有するように構成されていてもよい。具体的には、第１弾性腕部１６ｇ１は、図１７に示すように、右上角部分１６ｂＴＲに繋がる第１端部ＴＡ１と、左内側接合部分１６ｃＬに繋がる第２端部ＴＡ２と、右内側接合部分１６ｃＲに繋がる第３端部ＴＡ３と、を有するように構成されていてもよい。
【００９９】
第２弾性腕部１６ｇ２は、外側部分１６ｅを介して固定側部材ＲＧとしてのケース４に繋がる第１端部ＴＡ１と、内側部分１６ｉを介してレンズ保持部材２に繋がる第２端部ＴＡ２と、内側部分１６ｉを介してレンズ保持部材２に繋がる第３端部ＴＡ３とを有するように構成されていてもよい。具体的には、第２弾性腕部１６ｇ２は、図１７に示すように、左下角部分１６ｂＢＬに繋がる第１端部ＴＡ１と、右内側接合部分１６ｃＲに繋がる第２端部ＴＡ２と、左内側接合部分１６ｃＬに繋がる第３端部ＴＡ３と、を有するように構成されていてもよい。
【０１００】
弾性腕部２６Ａｇは、固定側部材ＲＧとしてのベース部材１８に繋がる第１端部ＴＡ１と、レンズ保持部材２に繋がる第２端部ＴＡ２と、ベース部材１８に繋がる第３端部ＴＡ３とを有するように構成されていてもよい。具体的には、弾性腕部２６Ａｇは、図１８に示すように、第１外側接合部分２６ｄ１に繋がる第１端部ＴＡ１と、内側接合部分２６ｃに繋がる第２端部ＴＡ２と、第２外側接合部分２６ｄ２に繋がる第３端部ＴＡ３と、を有するように構成されていてもよい。
【０１０１】
弾性腕部２６Ｂｇは、固定側部材ＲＧとしてのベース部材１８に繋がる第１端部ＴＡ１と、レンズ保持部材２に繋がる第２端部ＴＡ２と、ベース部材１８に繋がる第３端部ＴＡ３とを有するように構成されていてもよい。具体的には、弾性腕部２６Ｂｇは、図１８に示すように、第２外側接合部分２６ｄ２に繋がる第１端部ＴＡ１と、内側接合部分２６ｃに繋がる第２端部ＴＡ２と、第１外側接合部分２６ｄ１に繋がる第３端部ＴＡ３と、を有するように構成されていてもよい。
【０１０２】
下側板ばね２６は、導電性部材で形成され、且つ、第１ばね部分としての下側板ばね２６Ａと、第２ばね部分としての下側板ばね２６Ｂに分割されていてもよい。この場合、下側板ばね２６Ａは、コイル３の一端に電気的に接続され、下側板ばね２６Ｂは、コイル３の他端に電気的に接続されていてもよい。具体的には、下側板ばね２６Ａは、図１８に示すように、第１外側接合部分２６ｄ１で金属部材７に溶接され、内側部分２６Ａｉの接続板部２６ｈで接合材ＣＡを通じてコイル３に接合されている。そのため、端子７Ａから端子７Ｂへ流れる電流は、例えば、金属部材７から第１端部ＴＡ１、第１腕部ＡＭ１、分岐部ＢＦ、第２腕部ＡＭ２及び第２端部ＴＡ２を通ってコイル３に流れる。また、下側板ばね２６Ｂは、図１８に示すように、第１外側接合部分２６ｄ１で金属部材７に溶接され、内側部分２６Ｂｉの接続板部２６ｈで接合材ＣＡを通じてコイル３に接合されている。そのため、端子７Ａから端子７Ｂへ流れる電流は、例えば、コイル３から第２端部ＴＡ２、第２腕部ＡＭ２、分岐部ＢＦ、第３腕部ＡＭ３及び第３端部ＴＡ３を通って金属部材７に流れる。この構成により、レンズ駆動装置１０１は、金属部材７からコイル３への通電経路を容易に形成できる。
【０１０３】
弾性腕部１６ｇは、例えば、分岐部ＢＦと、分岐部ＢＦから延びて外側部分１６ｅを経て固定側部材ＲＧとしてのケース４に繋がる第１腕部ＡＭ１と、分岐部ＢＦから第１腕部ＡＭ１と同じ方向（例えば図１７における反時計回り方向）に延びて内側部分１６ｉを経てレンズ保持部材２に繋がる第２腕部ＡＭ２と、分岐部ＢＦから第１腕部ＡＭ１及び第２腕部ＡＭ２とは異なる方向（例えば図１７における時計回り方向）に延びる第３腕部ＡＭ３と、を有していてもよい。この場合、第３腕部ＡＭ３は、第１腕部ＡＭ１が第２腕部ＡＭ２より長い場合に外側部分１６ｅを経てケース４に繋がり、第１腕部ＡＭ１が第２腕部ＡＭ２より短い場合に内側部分１６ｉを経てレンズ保持部材２に繋がるように構成されていてもよい。例えば、図１７に示すように、第１腕部ＡＭ１が第２腕部ＡＭ２より短い場合、第３腕部ＡＭ３は、内側部分１６ｉを経てレンズ保持部材２に繋がるように構成されていてもよい。この場合、第２腕部ＡＭ２による剛性は、横方向（Ｙ軸方向）で低くなる。しかし、Ｙ軸方向に延びる第３腕部ＡＭ３がレンズ保持部材２に繋げられているため、第２腕部ＡＭ２による横方向（Ｙ軸方向）における剛性の低下は、第３腕部ＡＭ３による剛性によって補われる。この構成により、弾性腕部１６ｇは、所望の剛性を実現できる。その結果、高次共振周波数を高くすることができる。また、光軸ＪＤに垂直な方向へレンズ保持部材２が過度に動いてしまうのを防止できる。
【０１０４】
固定側部材ＲＧは、第１側板部４Ａ１と第１側板部４Ａ１に垂直な第２側板部４Ａ２とを有する矩形箱状のケース４を含んでいてもよい。この場合、弾性腕部は、第１側板部４Ａ１及び第２側板部４Ａ２の少なくとも一方に対向する部分を有していてもよい。
【０１０５】
例えば、上側板ばね１６における第１弾性腕部１６ｇ１及び第２弾性腕部１６ｇ２は何れも、図１７に示すように、第１側板部４Ａ１に対向する部分である第３腕部ＡＭ３と、第２側板部４Ａ２に対向する部分である第２腕部ＡＭ２とを有していてもよい。このように、弾性腕部１６ｇは、略直交する第１側板部４Ａ１と第２側板部４Ａ２のそれぞれに対向する部分を備えているため、光軸に垂直な方向（Ｘ軸方向及びＹ軸方向）における剛性を高めることができる。
【０１０６】
また、下側板ばね２６Ａの弾性腕部２６Ａｇ及び下側板ばね２６Ｂの弾性腕部２６Ｂｇは何れも、図１８に示すように、第１側板部４Ａ１に対向する部分である第１腕部ＡＭ１及び第３腕部ＡＭ３を有していてもよい。このように、弾性腕部２６ｇは、第１側板部４Ａ１に対向する部分を備えているため、Ｙ軸方向における剛性を高めることができる。
【０１０７】
弾性腕部２６ｇは、例えば、分岐部ＢＦと、外側部分２６ｅを介して固定側部材ＲＧとしてのベース部材１８に繋がる第１端部ＴＡ１と、内側部分２６ｉを介してレンズ保持部材２に繋がる第２端部ＴＡ２と、ベース部材１８又はレンズ保持部材２に繋がる第３端部ＴＡ３と、を有するように構成されていてもよい。この場合、レンズ体の光軸ＪＤと分岐部ＢＦとを結ぶ線分Ｌ０と、光軸ＪＤと第１端部ＴＡ１、第２端部ＴＡ２又は第３端部ＴＡ３とを結ぶ線分Ｌ１、Ｌ２又はＬ３とで形成される光軸ＪＤ回りの角度の最大値は、望ましくは、光軸ＪＤと第１端部ＴＡ１、第２端部ＴＡ２及び第３端部ＴＡ３のうちの２つのそれぞれとを結ぶ２つの線分で形成される光軸ＪＤ回りの角度の最大値より小さい。例えば、図１８に示すように、レンズ体の光軸ＪＤと分岐部ＢＦとを結ぶ線分Ｌ０と、光軸ＪＤと第１端部ＴＡ１、第２端部ＴＡ２及び第３端部ＴＡ３のそれぞれとを結ぶ３つの線分Ｌ１〜Ｌ３のそれぞれとで形成される角度α、β、γは何れも、光軸ＪＤと第１端部ＴＡ１、第２端部ＴＡ２及び第３端部ＴＡ３のうちの２つのそれぞれとを結ぶ２つの線分で形成される角度の最大値である角度δより小さい。この構成により、弾性腕部２６ｇは、光軸ＪＤの方向に関する適切なばね定数を実現しながら、光軸ＪＤに垂直な方向に関する適切なばね剛性を実現できる。
【０１０８】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１０９】
例えば、上記実施形態では、レンズ保持部材２は、２つの弾性腕部１６ｇを有する上側板ばね１６と、２つの弾性腕部２６ｇを有する下側板ばね２６とを介して固定側部材ＲＧによって支持されている。しかしながら、レンズ保持部材２は、３つ以上の弾性腕部１６ｇを有する上側板ばね１６と、２つの弾性腕部２６ｇを有する下側板ばね２６とを介して固定側部材ＲＧによって支持されていてもよい。或いは、レンズ保持部材２は、２つの弾性腕部１６ｇを有する上側板ばね１６と、３つ以上の弾性腕部２６ｇを有する下側板ばね２６とを介して固定側部材ＲＧによって支持されていてもよい。
【０１１０】
また、上記実施形態では、下側板ばね２６Ａと延在部３３Ｂとが電気的に接続され、且つ、下側板ばね２６Ｂと延在部３３Ａとが電気的に接続される構成としたが、本発明は、この構成に限定されるものではない。例えば、手振れ補正機能付きのレンズ駆動装置等においては、上側板ばね１６が２つに分割され、一方がコイルの巻き始め部分に電気的に接続され、他方がコイルの巻き終わり部分に電気的に接続される構成であってもよい。なお、手振れ補正機能付きのレンズ駆動装置は、磁石５を保持する磁石ホルダを有する。磁石ホルダは、光軸ＪＤの方向に移動する可動側部材としてのレンズ保持部材２とは異なり、光軸ＪＤの方向には移動しない固定側部材を構成する。
【０１１１】
本願は、２０１８年３月２３日に出願した日本国特許出願２０１８−０５６８２５号に基づく優先権を主張するものであり、この日本国特許出願の全内容を本願に参照により援用する。
【符号の説明】
【０１１２】
２・・・レンズ保持部材  ２ｔ・・・突設部  ３・・・コイル  ４・・・ケース  ４Ａ・・・外壁部  ４Ａ１・・・第１側板部  ４Ａ２・・・第２側板部  ４Ｂ・・・上面部  ４Ｒ・・・受け部  ４ｓ・・・収納部  ５・・・磁石  ６・・・板ばね  ７・・・金属部材  ７Ａ、７Ｂ・・・端子  ７Ｄ・・・接続部材  ７Ａ１、７Ｂ１・・・露出部  １２・・・筒状部  １２ｄ・・・台座部  １２ｄｈ・・・窪み  １２ｈ・・・庇部  １２ｊ・・・コイル支持部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８Ｆ・・・フランジ部  １８ｋ・・・開口  １８ｔ・・・突設部  １８Ｗ・・・側壁面  ２６、２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｐ・・・第１連結部  ２６ｔ・・・貫通部  ３３、３３Ａ、３３Ｂ・・・延在部  ３３ｃ・・・接続部  ３３ｍ・・・巻き付け部  ５２・・・フランジ部  ７２、７２Ａ、７２Ｂ・・・突出部  １０１・・・レンズ駆動装置  ＣＡ・・・接合材  ＪＤ・・・光軸  ＭＫ・・・駆動機構  ＲＧ・・・固定側部材
【図１】
2019181352.tif 000003
【図２Ａ】
2019181352.tif 000004
【図２Ｂ】
2019181352.tif 000005
【図３Ａ】
2019181352.tif 000006
【図３Ｂ】
2019181352.tif 000007
【図４Ａ】
2019181352.tif 000008
【図４Ｂ】
2019181352.tif 000009
【図５Ａ】
2019181352.tif 000010
【図５Ｂ】
2019181352.tif 000011
【図６Ａ】
2019181352.tif 000012
【図６Ｂ】
2019181352.tif 000013
【図７Ａ】
2019181352.tif 000014
【図７Ｂ】
2019181352.tif 000015
【図８Ａ】
2019181352.tif 000016
【図８Ｂ】
2019181352.tif 000017
【図９Ａ】
2019181352.tif 000018
【図９Ｂ】
2019181352.tif 000019
【図１０Ａ】
2019181352.tif 000020
【図１０Ｂ】
2019181352.tif 000021
【図１１Ａ】
2019181352.tif 000022
【図１１Ｂ】
2019181352.tif 000023
【図１２Ａ】
2019181352.tif 000024
【図１２Ｂ】
2019181352.tif 000025
【図１３Ａ】
2019181352.tif 000026
【図１３Ｂ】
2019181352.tif 000027
【図１３Ｃ】
2019181352.tif 000028
【図１４Ａ】
2019181352.tif 000029
【図１４Ｂ】
2019181352.tif 000030
【図１５Ａ】
2019181352.tif 000031
【図１５Ｂ】
2019181352.tif 000032
【図１６Ａ】
2019181352.tif 000033
【図１６Ｂ】
2019181352.tif 000034
【図１６Ｃ】
2019181352.tif 000035
【図１７】
2019181352.tif 000036
【図１８】
2019181352.tif 000037
【国際調査報告】
2019181352.tif 000038
2019181352.tif 000039
2019181352.tif 000040
2019181352.tif 000041